(57)【特許請求の範囲】
【請求項１】
浴槽載置用の防水パンと、この防水パンに載置される浴槽とで形成される浴室ユニットであって、上記防水パンの周囲の囲い壁が上方になるに連れて外方に押し開かれるよう傾斜されて浴槽と略同じ高さに形成されると共に、洗い場側以外の囲い壁の上面部に、側壁パネルを設置するための壁載せ部が上面部から立ち上げられて形成され、又防水パンの囲い壁の上面部は、洗い場側に向かって傾斜されて排水を容易化できるよう勾配がつけられ、この上面部に、上面部から防水パン内に水が流れ込むのを防止するための水止め部が防水パンの全周にわたって起立状に形成され、上記の浴槽が防水パンの囲い壁の上面部にフランジを配置させると共に、このフランジの外周面と上記の壁載せ部とで溝状の隙間を生じさせる大きさに形成され、この浴槽のフランジで覆われる上面部の位置に上記の水止め部が形成され、又この水止め部とフランジの内面との隙間を塞ぐためのパッキンを備え、このパッキンが浴槽の縦断面にあらわれるフランジの内面の幅と略同幅に形成されていることを特徴とする浴室ユニット。
【請求項２】
請求項１記載の浴室ユニットであって、防水パンの洗い場側の囲い壁が、その上部にエプロンの上端部との係合部を備えて形成されていることを特徴とする浴室ユニット。
【発明の詳細な説明】
【０００１】
【発明の属する技術分野】
本発明は、浴室ユニットに関し、更に詳しくは浴槽載置用の防水パンと、この防水パンに載置される浴槽とで形成される浴室ユニットに関するものである。
【０００２】
【従来の技術】
従来この種の浴室ユニットの場合、浴槽載置用の防水パンは、皿形（盆形）に形成され、浅い容器形に形成されているのが通例であった。そして従来品は、この種の防水パンの壁載せ部に側壁パネルが設置され、浴槽はフランジの外周面がこの側壁パネルの垂直面にあてがわれて配置されるものであった（例えば特開平８ー１４４３４２号公報等参照）。
【０００３】
【発明が解決しようとする課題】
而して従来、浴槽載置用の防水パンは、浴槽水の排水時に逆流する水によって例えば毛髪等が付着し易いから、この種の汚物によって悪臭の発生源になり易かった。従って従来は、浴槽周りの隙間をシール材で塞ぐ必要があったが、従来品は上記の通り防水パンが浅形であったから、防水パンと側壁パネルとの接合箇所が浴槽周りに長く生じ、そのため作業箇所が増大し作業に手間暇がかかっただけではなく、シール材の箇所に発生するカビで不衛生になる、という問題点があった。
【０００４】
又従来品は、浴槽載置用の防水パンが上記の通り皿形であったから、浴槽周り、換言すると側壁パネルと浴槽の周壁との間のスペースが大きくなるのが通例であった。従って従来品によると、浴槽の湯の温度が浴槽周りのこの種の大きな空間によって奪われ易く、その結果湯が冷め易くなる、という問題点があった。
【０００５】
又従来品の場合は、上記の通り、浴槽載置用の防水パンが皿形であったから、側壁パネルの縦の寸法が長くなり、浴槽周りに設置する側壁パネルが、大きく且つ重くなるのが通例であった。従って従来品によると、側壁パネルの設置作業が大変で、側壁パネルの設置に労力がかかる、という問題点があった。
【０００６】
本発明は、このような従来の問題点に鑑み、提案されたものである。
従って本発明の技術的課題は、浴槽周りに発生する臭気の散逸を、シール材を多用することなく防止でき、浴槽の湯の保温効果が得られ、又側壁パネルの設置作業を容易化できるよう形成した浴室ユニットを提供することにある。
【０００７】
【課題を解決するための手段】
本発明は、上記の課題を解決するために、次のような技術的手段を採る。
【０００８】
即ち本発明は、図１等に示されるように、浴槽載置用の防水パン１と、この防水パン１に載置される浴槽２とで形成される浴室ユニットであって、上記防水パン１の周囲の囲い壁３が上方になるに連れて外方に押し開かれるよう傾斜されて浴槽２と略同じ高さに形成されると共に、洗い場６側以外の囲い壁３の上面部３ａに、側壁パネル４を設置するための壁載せ部５が上面部３ａから立ち上げられて形成され、又防水パン１の囲い壁３の上面部３ａは、洗い場６側に向かって傾斜されて排水を容易化できるよう勾配がつけられ、この上面部３ａに、上面部３ａから防水パン１内に水が流れ込むのを防止するための水止め部７が防水パン１の全周にわたって起立状に形成され、上記の浴槽２が防水パン１の囲い壁３の上面部３ａにフランジ２ａを配置させると共に、このフランジ２ａの外周面と上記の壁載せ部５とで溝状の隙間を生じさせる大きさに形成され、この浴槽２のフランジ２ａで覆われる上面部３ａの位置に上記の水止め部７が形成され、又この水止め部７とフランジ２ａの内面との隙間を塞ぐためのパッキン８を備え、このパッキン８が浴槽２の縦断面にあらわれるフランジ２ａの内面の幅と略同幅に形成されていることを特徴とする（請求項１）。
【０００９】
本発明の場合、防水パン１の囲い壁３は、浴槽２の周壁の傾斜に合わせ、傾斜状に形成されるのでも良い。又浴槽２と、防水パン１の囲い壁３との間は、空間が小さいほど湯の保温効果が大きくなるから、例えば浴槽２は防水パン１の容積に合わせて大きく形成されているのが好ましい。
【００１０】
水止め部７は、図１等に示されるように、囲い壁３の上部が囲い壁３に連ねて起立状に形成されたり、或いは囲い壁３の上面部３ａに独立状に形成されることにより実現される。
【００１１】
本発明の場合は、上記の通り、水止め部７がフランジ２ａで覆われる上面部３ａの位置に形成されている。従ってこれによると、水止め部７の露出を防止でき、浴槽２周りの見苦しさを解消できる。又本発明は、パッキン８を備えているから、これによると、パッキン８で防水パン１と浴槽２の隙間を確実に塞ぐことができ、防水効果、保温効果を向上させることができる。
【００１２】
又本発明は、防水パン１の洗い場６側の囲い壁３が、その上部にエプロン９ａの上端部との係合部３ｂを備えて形成されているのが好ましい（請求項２）。
【００１３】
なぜならこれによると、浴槽２のフランジ２ａに係合用の段差を形成することなく、上記の係合部３ｂを利用して浴槽２の前面を遮蔽できるからである。なお本発明の場合、エプロン９ａは、洗い場パン９と一体状に形成されているのでも、或いは別体に形成されているのでも良い。
【００１４】
【発明の実施の形態】
以下、本発明の好適な一実施形態を添付図面に従って説明する。
【００１５】
本発明の浴室ユニットは、図１、図２に示されるように、浴槽載置用の防水パン１と、この防水パン１に載置される浴槽２とで形成されている。
【００１６】
上記の防水パン１は、その周囲の囲い壁３が浴槽２と略同じ高さに形成されている。この実施形態の場合、この囲い壁３は、上方になるに連れて外方に押し開かれるよう傾斜されている。４は側壁パネルであり、５はこの側壁パネル４を設置するための壁載せ部である。この壁載せ部５は、洗い場６側以外の囲い壁３の上面部３ａに、この実施形態ではクランク形に立ち上げられて形成されている。なお囲い壁３の上面部３ａは、洗い場６側に向かって傾斜され、排水を容易化できるよう勾配がつけられている。又上記の浴槽２は、防水パン１の囲い壁３の上面部３ａにフランジ２ａを配置させる大きさに形成されている。
【００１７】
７は、防水パン１の囲い壁３の上面部３ａから防水パン１内に水が流れ込むのを防止するための水止め部である。この水止め部７は、この実施形態の場合は囲い壁３の上部が上方に延ばされ囲い壁３に連ねて形成され、防水パン１の全周にわたって起立状に形成されている。又この水止め部７は、浴槽２のフランジ２ａで覆われる位置に形成されている。８は、水止め部７とフランジ２ａの内面との隙間を塞ぐためのパッキンである。防水パン１と浴槽２の間のスペースは、このパッキン８によって密閉される。
【００１８】
又９は、洗い場６を形成するための洗い場パンである。この洗い場パン９は、この実施形態ではエプロン９ａを一体状に備えて形成されている。上記の防水パン１は、洗い場６側の囲い壁３の上部に、エプロン９ａの上部と係合する係合部３ｂを備えて形成されている。なお１０は、排水トラップである。浴槽水は、この排水トラップ１０と防水パン１の間に配管されている排水管１１を介して排水トラップ１０に流入し、排水される。
【００１９】
次に本発明を設置する場合の一例を説明する。
【００２０】
先ず作業者は、浴室スペースに洗い場パン９を設置し、次にこの洗い場パン９のエプロン９ａの上部に囲い壁３の係合部３ｂを係合させ、防水パン１を設置する。そして作業者は、洗い場パン９の周囲の壁載せ部９ｂ及び防水パン１の壁載せ部５に、側壁パネル１２及び側壁パネル４を設置し、浴室の壁を構築する。その後作業者は、防水パン１に浴槽２を載置し、浴槽２を据え付ける。この際、作業者は、水止め部７にパッキン８を配置し、パッキン８によって浴槽２と防水パン１との隙間を塞ぎ、又フランジ２ａの外周面の下端と囲い壁３の上面部３ａとの当接箇所を、適宜、コーキング処理する。
【００２１】
【発明の効果】
以上説明したように本発明によれば、浴槽周りを防水パンで密閉できるから、防水パンに付着する汚物等に起因する臭気の散逸を、シール材を多用することなく防止できる。又これによれば、浴槽周りの空間を狭小化できるから、湯が冷めることを防止できる。又本発明の場合は、防水パンの壁載せ部に設置する側壁パネルの縦の寸法を小さくできるから、これを使用すれば、その分、側壁パネルの設置作業を容易化できる。
更に本発明の場合は、水止め部によって囲い壁の上面部から防水パン内へ水が流入することを防止でき、上面部の水を所定の箇所から洗い場側へ排水できる。
【図面の簡単な説明】
【図１】  本発明の浴室ユニットの好適な一実施形態を示す設置状態時の一部を切欠した要部縦断面図である。
【図２】  同上浴室ユニットの要部斜視図である。
【符号の説明】
１    浴槽載置用の防水パン
２    浴槽
２ａ  フランジ
３    囲い壁
３ａ  上面部
４    側壁パネル
５    壁載せ部
６    洗い場
７ 水止め部
８ パッキン
【図１】
0004238512.tif 000002
【図２】
0004238512.tif 000003